(57)【要約】  本発明は、サッカー（ペナルティキック）、ジョック（ＪＯＫＧＵ）、バレーボールおよびバスケットボール（３×３バスケットボール）などの球技種目を行うことのできるハーフコートまたはフルコートであり、各種目の特性に合わせて、競技を再進行させる場合やボールが場外に出た場合など、競技再開に時間を要する場合またはレシーブ練習が必要な場合、ボールを自動的かつ迅速に供給し、コートの傾斜によってボールが自然に集まって揚送され、ボールの種類に応じて自動区分されてコートに供給されるコートを提示している。【選択図】図１
2021530290.tif 000002
【特許請求の範囲】
【請求項１】
多種目用コートであって、前記コートは、一方向に傾斜したグラウンドを含み、前記グラウンドには、１対のセンタポストを横切ってネットを脱着可能に設け、前記グラウンドの一方中央には、サッカーゴールポストと、前記サッカーゴールポストの上部中央に一体に形成されたバスケットボールゴールポストを設け、前記サッカーゴールポストが設けられた前記グラウンドのエンドラインに水平方向に傾斜した凹んだボール移送ラインを形成し、前記ボール移送ラインと連通してボールを垂直揚送させるボール揚送装置を設け、前記ボール揚送装置の上端は、前記ボール移送ラインと逆方向に傾斜した空中に水平方向に延びているボール分配ラインの一端と連通され、前記ボール分配ラインには、適切な間隔を置いて複数のゲートが設けられ、前記ボール分配ラインの先端は、バレーボールまたはジョックボールをサーブボールとして発射するためのボール発射装置と連通されるようにした、ボールの自動回収および供給が可能な多種目コート。
【請求項２】
前記複数のゲートは、第１〜第４のゲートＧ１、Ｇ２、Ｇ３、Ｇ４を含み、サッカーボールは前記第１のゲートＧ１、バスケットボールは前記第２のゲートＧ２、バレーボールは前記第３のゲートＧ３、そしてジョックボールは前記第４のゲートＧ４をそれぞれ通って流れて前記グラウンドに落下し、ボールの内部には、前記ボールの種類を識別するための電子信号センサとしてのチップが内蔵された、請求項１に記載のボールの自動回収および供給が可能な多種目コート。
【請求項３】
前記ボール発射装置は、空中に懸架され、待機ポストの上部には、バレーボールの発射出口である第１の開口が形成され、下部には、ジョックボールの発射出口である第２の開口が形成された、請求項２に記載のボールの自動回収および供給が可能な多種目コート。
【請求項４】
それぞれのゲートは、出口通路の両側に設けられたソレノイドバルブと、ソレノイドバルブの動作によって回動する仕切りとしてのスクリーンとを含み、ソレノイドバルブと隣接している出口側の側壁には、ボール内部のチップを識別するセンサが取り付けられた、請求項２に記載のボールの自動回収および供給が可能な多種目コート。
【発明の詳細な説明】
【技術分野】
【０００１】
本発明は、ボールの自動回収供給が可能な多種目多重コートに関する。
【背景技術】
【０００２】
現在、大部分のスポーツ種目用コートは、単一種目に特化している。多種目を同時に利用する場合でもスペース不足を解消するためのこととして各種ラインが混用されており、ボールを供給する装置を含む科学的かつ効率的な多種目の競技コートは提案されていない。多種目の競技コートを利用する場合、ボール回収および供給装置を正しく利用するためには、各種目に合うようにボールを分類して供給できる装置も用意しなければならない。
【先行技術文献】
【特許文献】
【０００３】
【特許文献１】米国特許出願第１６０２８６１３号明細書
【特許文献２】韓国特許第１０−１９７７３６２号公報
【発明の概要】
【発明が解決しようとする課題】
【０００４】
したがって、本発明は、多種目の競技を行うことのできる科学的であり、スペース活用を最適化した競技コートを提供することを目的とする。
【０００５】
本発明は、多種目の競技を行う場合、特定種目のボールを分類して自動的に供給できる多種目コートを提供することを目的とする。
【課題を解決するための手段】
【０００６】
本発明は、サッカー（ペナルティキック）、ジョック（ＪＯＫＧＵ）、バレーボールおよびバスケットボール（３×３バスケットボール）など、多種目を行うことのできるハーフコートまたはフルコートを提示する。
【０００７】
各種目の特性に合わせてサッカーボール、バスケットボール、バレーボールおよびジョックボールは、バスケットボールスタンドの上から供給される。また、バレーボールとジョックボールは、コートの側面からネットの中央に向けて発射されてレシーブの練習ができる。スコアを得て中立状態で競技を再進行させるか、ボールが場外に出るなど、競技再開に時間を要する場合、ボールを自動的に迅速に供給することができる。
【０００８】
コートにわずかな傾斜を形成してスポーツに妨害を与えずにボールが自動的に集まって揚送し、ボールの種類に応じて自動的に区分されてコートに供給される。
【０００９】
ボールの内部には、ボールの種類を識別するための電子信号センサとしてのチップが内蔵されている。チップは、ボールの種類に応じて異なる。ボールを供給するときにはボールに内蔵されたチップを判別し、ボールの種類に応じて異なるゲートを通ってボールを供給する。
【００１０】
本発明の一実施例は、多種目用コートであって、上記コートは、一方向に傾斜したグラウンドを含み、グラウンドには、１対のセンタポストを横切って上部にバレーボール用ネット、下部にジョック用ネットを脱着可能に設け、グラウンドのエンドライン中央には、サッカーゴールポストとサッカーゴールポストの上部中央に一体に形成されたバスケットボールゴールポストを設け、上記グラウンドの上部を横切って水平方向に傾斜した凹んだボール移送ラインを形成し、ボール移送ラインと連通してボールを垂直に揚送するボール揚送装置を設け、ボール揚送装置の上端は、上記ボール移送ラインと逆方向に傾斜した空中に水平方向に延びているボール分配ラインの一端と連通され、ボール分配ラインには、適切な間隔を置いて複数のゲートが設けられ、上記ボール分配ラインの先端は、バレーボールまたはジョックボールをサーブボールとして発射するためのボール発射装置と連通されるようにした、ボールの自動回収および供給が可能な多種目コートを提供する。
【発明の効果】
【００１１】
本発明によると、１種目に従属せず、様々な球技種目を１つのコートで科学的かつ体系的に訓練して楽しめる。
【００１２】
コートでのボールの供給と移送は自動で行われ、様々な球技種目を並行して楽しめる。
【図面の簡単な説明】
【００１３】
【図１】本発明の多種目コートの全体斜視図である。
【図２】本発明の多種目コートをフルコートで具現した斜視図である。
【図３】本発明のボール分配ラインに設けられたゲート構造を説明するための内部図面である。
【図４】本発明による多種目コートのボール分配と発射を制御するための制御パネルの例を示した図面である。
【図５】図２のさらなる実施例を示した図面である。
【発明を実施するための形態】
【００１４】
以下、本発明のいくつかの実施例を例示的な図面によって詳細に説明する。各図面の構成要素らに参照符号を付加するに当たり、同一の構成要素らについては、たとえ異なる図面上に表示されても、可能な限り、同一の符号を有するようにしていることに留意されたい。また、本実施例を説明するに当たり、関連する公知の構成または機能についての具体的な説明が本実施例の要旨をぼやかしかねないと判断される場合には、その詳細な説明を省略する。
【００１５】
本実施例の構成要素を説明するに当たっては、第１、第２、ａ）、ｂ）などの符号を使用することができる。このような符号は、その構成要素を他の構成要素と区別するためのものであり、その符号により、当該構成要素の本質または順序などは限定されない。また、明細書において、いかなる部分がいかなる構成要素を「含む」または「備える」としたとき、これは明示的に反対される記載がない限り、他の構成要素を除くのではなく、他の構成要素をさらに含むことができることを意味する。また、明細書において、「連結する」、「設ける」または「取り付ける」としたとき、これは構成要素間に直接的に連結する、設ける、もしくは取り付けることのみを意味するのではなく、間接的もしくは他の構成要素を介して連結する、設ける、もしくは取り付けることを含むことであり、最大限の広義に解釈されるべきである。
【００１６】
図１は、本発明による多種目コート１の全体斜視図である。サッカーのペナルティキック、ジョック、バレーボール、および３×３バスケットボールのできるハーフコート型多種目コートである。ハーフコートの長さと幅は、それぞれ１４ｍ×１５ｍであるのが好ましい。フルコートは、それぞれ２８ｍ×１５ｍからなるが、特に、ジョックやバレーボールは、フルコートに拡張することが好ましい。
【００１７】
多種目コート１は、運動場であるグラウンド１０が含まれる。グラウンド１０の左右両側は、境界線１２で締め切られる。
【００１８】
グラウンド１０の下側、すなわち、図１の下側コーナには、１対のセンタポスト６０が位置する。センタポスト６０を横切ってネット６２が脱着可能に取り付けられる。ユーザは、バレーボールをするときはネット６２を上げ、ジョックをするときにはネット６２を下げることができる。ネット６２をテニスネットとして使用することもできる。このようにネットは、上下に高さ調節可能であり、後述するように、ネット上にバレーボールやジョックのサーブ／レシーブ練習のためのサーブ用ボールを供給することができる。
【００１９】
グラウンド１０の上側、すなわち、図１のエンドライン中央にはサッカーゴールポスト７０が設けられる。サッカーゴールポスト７０の上部中央にはバスケットボールゴールポスト８０が設けられる。サッカーゴールポスト７０とバスケットボールゴールポスト８０は、競技規格に合わせて一体で製作される。
【００２０】
多種目コート１の底には、ＬＥＤラインを設けることができ、底に様々な色相のラインを形成して種目区域を表示することができる。
【００２１】
サッカーゴールポスト７０が設けられたグラウンド１０の上側を横切って水平方向に凹んだボール移送ライン１４が形成される。ボール移送ライン１４は、競技を妨害しないように、好ましくはグラウンドのアウトラインに沿って形成される。
【００２２】
本発明によると、矢印で示すように、グラウンド１０は上部へ行くほど下へ傾斜し、左側へ行くほど下へ傾斜するように形成される。傾斜する地面は切削するか、専用運動場を施工することによってつくることができる。傾斜角は、０．５°〜１．５°であることが好ましい。傾斜コートの施工方法は、たとえば、出願人の米国特許出願第１６０２８６１３号明細書に開示されている。
【００２３】
本発明によると、ユーザが複数個のボールで繰り返し訓練する場合、グラウンド１０に落ちたボールは、自動的にボール移送ライン１４に集まって図面の左側に移動する。示した例においては、サッカーボールＢ１、バスケットボールＢ２、バレーボールＢ３およびジョックボールＢ４がボール移送ライン１４に集まったことを示している。
【００２４】
ボール移送ライン１４の一端は、ボール揚送装置４０と連結される。ボール揚送装置４０は、揚送ポスト４１と揚送ポスト４１内部に垂直に設けられたスクリュー４２からなる。ボール揚送装置４０の詳細構成は、たとえば、出願人の韓国特許第１０−１９７７３６２号公報に開示されている。
【００２５】
揚送ポスト４０の上端は、バスケットボールゴールポスト８０上の空中から水平方向に伸びるボール分配ライン５０の一端と連通する。上から見下ろすと、ボール分配ライン５０は、ボール移送ライン１４と重複される場合がある。ボール分配ライン５０は、グラウンド１０とは逆に右側に行くほど下に傾斜する。したがって、ボール揚送装置４０を通ったボールは、ボール分配ライン５０の内部を図面の右側に流れる。ボール分配ライン５０の４カ所には、適切な間隔を置いて第１〜第４のゲートＧ１、・・・、Ｇ４が設けられる。たとえば、サッカーボールは第１のゲートＧ１、バスケットボールは第２のゲートＧ２、バレーボールは第３のゲートＧ３、そしてジョックボールは第４のゲートＧ４をそれぞれ通って流れてグラウンド１０に落下する。このために本発明によると、ボールの内部には、ボールの種類を識別するための電子信号センサとしてのチップが内蔵されている。
【００２６】
ボールのグラウンド落下位置を調整するため、それぞれのゲートと連通してボールが出る出口をラインで形成し、たとえば、エンドラインの後方やセンタラインに近接して落下されるようにすることも可能である。
【００２７】
ボール分配ライン５０の右側端は、ボール発射装置３０に連通する。ボール発射装置３０は、空中に懸架され、待機ポスト３６の上部には、たとえば、バレーボールの発射出口である第１の開口３２が形成され、下部には、ジョックボールの発射出口である第２の開口３４が形成される。サーブレシーブ練習が必要なバレーボールおよびジョックの場合には、ボールを分配せず、ボール発射装置３０を利用してネット６２越しにサーブ用ボールを強く発射することができる。ボール発射装置３０の構成は公知のものであり、本発明においては既存のいかなるものを採用することができる。
【００２８】
この場合、ボールの落下位置もボールの最終出口をラインで延ばすなどの方法で調整できるのは言うまでもない。
【００２９】
以上、図１の本発明は、一般ユーザだけでなく、特に、ボールの繰り返し供給を通して訓練の効率を高めようとする選手のトレーニング用として適している。
【００３０】
図２は、本発明の多種目コート１をフルコートで形成したことを示した全体斜視図である。ハーフコート型のように、サッカーのペナルティキック、ジョック、バレーボール、および３×３バスケットボールをしながらもスペースの制約なしに所望の種目の正式競技を楽しむことができる。グラウンド１０の傾斜角は１．５°以下であるが、この程度の傾斜は、ユーザに身体的な負担や傾斜による傾き感覚を与えない適切な範囲である。
【００３１】
図５は、本発明の多種目コート１をフルコートで形成し、両エンドラインに先立って説明したボールの移送、揚送、分配および発射装置をそれぞれ設けている。この場合、より広いグラウンドを活用しながら、ハーフコートと同じような効果が期待できる。
【００３２】
本発明において、多種目を訓練するためのゴールポストとポストは、たとえば、サッカーゴールポストを左右にさらに設けるか、サッカーゴールポストの位置を変更するなど、その位置と数字は様々に変更することができ、本発明の権利範囲を制限しない。
【００３３】
図３は、本発明のボール分配ライン５０に設けられたゲート構造を説明するための内部図面である。ボール分配ライン５０の一側には第１のゲートＧ１が設けられる。第１のゲートＧ１は、出口通路の両側に設けられたソレノイドバルブ９２と、ソレノイドバルブ９２の動作によって回動する仕切りとしてのスクリーン９０とからなる。ソレノイドバルブ９２と隣接して出口側の側壁には第１のセンサＳ１が取り付けられる。サッカーボールＢ１の内部には、上述のように、サッカーボールであることを識別させるためのチップＣ１が内蔵されている。サッカーボールＢ１が近接すると、第１のセンサＳ１がチップＣ１を識別してスクリーン９０を開放し、サッカーボールＢ１は、第１のゲートＧ１を通ってグラウンド１０に供給される。所定時間が過ぎると、自動的にスクリーン９２は閉鎖される。このような動作の繰り返しによって第１のゲートＧ１を介してはサッカーボールＢ１のみが選別して供給される。
【００３４】
第２のゲートＧ２も第１のゲートＧ１と同一の構造であり、上記と同様にバスケットボールであることを識別するチップＣ２が内蔵されたバスケットボールＢ２のみが選別してグラウンド１０に供給される。
【００３５】
本発明によると、ボールの内部に識別子としての電子チップが内蔵されているため、多種目コートで運動する場合、いかなるボールでも収集して運動場に再供給ができる。本発明によると、種目ごとに大きさが異なるボールに対し、ゲートの出口直径だけを異にして設ければ良いため、製作とメンテナンスが便利である。さらに、競技種目とコートの大きさに応じて供給されるボールの位置を変更しなければならない場合、ゲートの水平設置位置を変更すれば十分という長所もある。
【００３６】
図４は、本発明による多種目コート１のボール分配と発射を制御するための制御パネル１００の一例を示す。制御パネル１００は、オンボタン１０２、オフボタン１０４を含む。オンボタン１０２を押した後にボール分配ボタン１０８を押すと、ボール分配ライン５０のそれぞれのゲートが作動して種目別のボール供給が実行される。ボール発射ボタン１１０を押すと、ゲートへの電源が遮断されて作動がすべて中止し、ボールはボール発射装置３０に集まる。ボール発射装置３０にも専用ゲートが設けられ、バレーボールとジョックボールを区分することが好ましい。
【００３７】
制御パネルの中央にはメインディスプレイ１０６が形成され、右側には補助ディスプレイ１０８が形成されている。メインディスプレイ１０６の四角境界を囲んではボールの流れを見せるＬＥＤ１０６Ａが設けられる。制御パネル１００に設けられた図示しないセンサは、ボールに内蔵されたチップを検知し、ＬＥＤ１０６Ａを介してボールの流れが表示される。補助ディスプレイ１０８には、たとえば、１つのＬＥＤ１０８Ａが設けられ、ボール発射装置３０にボールが正常に到達していることを知らせる。
【００３８】
以上、本発明のいくつかの実施例を説明したが、これは本発明の一例をあげただけであり、本発明の権利範囲を限定しようとする意図ではない。本発明については様々な変形例が可能であり、これらも本発明の権利範囲に属する。
【図１】
2021530290.tif 000003
【図２】
2021530290.tif 000004
【図３】
2021530290.tif 000005
【図４】
2021530290.tif 000006
【図５】
2021530290.tif 000007
【国際調査報告】
2021530290.tif 000008
2021530290.tif 000009
2021530290.tif 000010
2021530290.tif 000011